(57)【特許請求の範囲】
【請求項１】
揮発性薬剤を含有する粘度が３０〜１００ｍＰａ．ｓの粘性組成物が封入された薬剤揮散袋と、前記揮発性薬剤を揮散させる開口部を有すると共に、内部に薬剤揮散袋を支持する受け部が凸設された閉塞部を有するケースとを備え、
前記薬剤揮散袋は、一面とこれに対向する他面とを有し、少なくとも前記一面は、前記揮発性薬剤が浸潤可能な多数の微孔を有する微多孔質シートで構成され、前記微多孔質シートの少なくとも一部に前記ケースの閉塞部の受け部を当接させたことを特徴とする薬剤揮散器。
【請求項２】
前記揮発性薬剤は、芳香成分又は害虫忌避成分である請求項１に記載の薬剤揮散器。
【請求項３】
前記薬剤揮散袋は、内部空間を２つの分割空間に区画する仕切りシートを内蔵し、前記仕切りシートの外周で２つの分割空間を連通させた構造を具備する請求項１又は２に記載の薬剤揮散器。
【発明の詳細な説明】
【技術分野】
【０００１】
本発明は、揮発性薬剤（芳香成分、消臭成分、害虫忌避成分など）を揮散可能に封入した薬剤揮散袋が収納された薬剤揮散器に関する。
【背景技術】
【０００２】
分子量が小さく、揮発性の高い薬剤を吸液芯やメンブレンタイプの薬剤揮散体に含浸させて揮散させると、短時間で揮散してしまい、薬剤による効果を長時間発揮させることが困難である。そこで、従来、揮発性の高い薬剤を部屋などに拡散させる方法として、例えば特許文献１に開示されたものがある。この特許文献１では、薬剤を線香用基材に練り込み、燻煙させて空間に充満させる方法が採用されている。
【先行技術文献】
【特許文献】
【０００３】
【特許文献１】特開２０１１−１２０５６号公報
【発明の概要】
【発明が解決しようとする課題】
【０００４】
しかし、燻煙は非常に煩雑であり、また、空間に煙が充満するため、クローゼットやロッカーなどのように衣服などがある空間、あるいは、食品などが置かれた空間においては、使用し難いという問題もあった。
【０００５】
一方、本発明者は、揮発性の高い薬剤（例えば、アリルイソチオシアネートなど）を含有する組成物を吸液芯やメンブレンタイプの薬剤揮散体に含浸させて長時間持続的に揮散させる方法として、当該組成物に、ゼラチンのような増粘剤を添加することにより粘度を高めることを検討したが、増粘剤により薬剤揮散体が根詰まりを起こし、薬剤を効率よく揮散させることが困難であった。
【０００６】
そこで、本発明は前述の問題点に鑑みて提案されたもので、その目的とするところは、手間がかからない簡便な手段により、増粘剤による薬剤揮散体の根詰まりを起こしにくく、かつ揮発性の高い薬剤による効果を長時間発揮させ得る薬剤揮散器を提供することにある。
【課題を解決するための手段】
【０００７】
前述の目的を達成するための技術的手段として、本発明に係る薬剤揮散器は、揮発性薬剤を含有する粘度が３０〜１００ｍＰａ．ｓの粘性組成物が封入された薬剤揮散袋と、揮発性薬剤を揮散させる開口部を有すると共に、内部に薬剤揮散袋を支持する受け部が凸設された閉塞部を有するケースとを備え、薬剤揮散袋は、一面とこれに対向する他面とを有し、少なくとも一面は、揮発性薬剤が浸潤可能な多数の微孔を有する微多孔質シートで構成され、その微多孔質シートの少なくとも一部にケースの閉塞部の受け部を当接させたことを特徴とする。
【０００８】
本発明の薬剤揮散器において、薬剤揮散袋は、その少なくとも一面が揮発性薬剤が浸潤可能な多数の微孔を有する微多孔質シートで構成されており、その微多孔質シートの少なくとも一部に、凸設された受け部を当接させていることから、微多孔質シートへの押圧力及び微多孔質シートと受け部との接触部分における毛細管現象により、粘性組成物が３０〜１００ｍＰａ・ｓという粘度を有していても、微多孔質シートの微孔から浸潤してシート表面に少しずつ滲み出ることができ、これにより揮発性薬剤を外部へ揮散する。このように本発明の薬剤揮散器によれば、増粘剤等による薬剤揮散体の根詰まりを起こしにくく、かつ揮発性薬剤による効果を長期間持続させることができる。
【０００９】
また、微多孔質シートをケースの閉塞部の受け部に当接させたことにより、その薬剤揮散袋の揮散面である微多孔質シートがケースの開口部と反対側に位置する閉塞部に配置されることになる。そのため、閉塞部での揮発性薬剤の揮散濃度を高めることができる（飽和蒸気圧に近づけることができる）ので、微多孔質シート表面における揮発性薬剤の揮散を遅らせることができ、効果をより長期間発揮させることができる。
【００１０】
本発明における揮発性薬剤は、芳香成分又は害虫忌避成分であることが望ましい。害虫忌避成分は、低分子であり、揮散しやすいが、特定の粘度を有する粘性組成物に含有させることで、効果を長時間持続することができる。
【００１１】
本発明における薬剤揮散袋は、内部空間を２つの分割空間に区画する仕切りシートを内蔵し、仕切りシートの外周で２つの分割空間を連通させた構造を具備することが望ましい。このようにすれば、微多孔質シートと接していない一方の分割空間に充填された粘性組成物は、毛細管現象により仕切りシートの外周を迂回して、微多孔質シートと接する他方の分割空間へ移動し、揮発性薬剤を微多孔質シートから揮散する。そのため、揮発性薬剤による効果をさらに長時間維持することができる。
【発明の効果】
【００１２】
本発明によれば、薬剤揮散袋の少なくとも一面が粘性組成物が浸潤可能な多数の微孔を有する微多孔質シートで構成されており、その微多孔質シートの少なくとも一部に、凸設された受け部を当接させていることから、微多孔質シートへの押圧力及び微多孔質シートと受け部との接触部分における毛細管現象により、粘性組成物が３０〜１００ｍＰａ・ｓという粘度を有していても、微多孔質シートの微孔から浸潤してシート表面に少しずつ滲み出ることができることから、増粘剤等による薬剤揮散体の根詰まりを起こしにくく、かつ揮発性薬剤による効果を長時間有することができる。
【図面の簡単な説明】
【００１３】
【図１】本発明の実施形態で、薬剤揮散袋を示す組立分解斜視図である。
【図２】図１の薬剤揮散袋を示す組立完了斜視図である。
【図３】図２のＡ−Ａ線に沿う断面図である。
【図４】図３の薬剤揮散袋の使用状態を示す断面図である。
【図５】薬剤揮散袋を収納するケースを示し、（Ａ）は上面図、（Ｂ）は正面図、（Ｃ）は下面図である。
【図６】図５（Ａ）のＢ−Ｂ線に沿う断面図である。
【図７】一方のケース半体を示す下面図である。
【図８】図７のＣ−Ｃ線に沿う断面図である。
【図９】他方のケース半体を示す上面図である。
【図１０】図９のＤ−Ｄ線に沿う断面図である。
【図１１】ケースおよび薬剤揮散袋からなる薬剤揮散器を示す組立分解斜視図である。
【図１２】ケースに薬剤揮散袋を載置した状態を示す組立分解斜視図である。
【図１３】ケースおよび薬剤揮散袋からなる薬剤揮散器を示す組立完了斜視図である。
【図１４】ごみ箱の蓋に薬剤揮散器を装着した使用状態を示す断面図である。
【図１５】図１４の要部拡大断面図である。
【図１６】薬剤揮散袋の内側袋体を破袋する要領を説明するための断面図である。
【図１７】図１５に示す薬剤揮散袋の内側袋体を破袋した後の状態を示す要部拡大断面図である。
【発明を実施するための形態】
【００１４】
本発明に係る薬剤揮散器の実施形態を以下に詳述する。以下の実施形態では、ごみ箱の芳香や害虫忌避などのために、ごみ箱の蓋の内側に装着する場合を例示するが、それ以外に、部屋や車内などにも適用可能である。
【００１５】
図１〜図４は薬剤揮散袋１１を例示し、図１は組立分解斜視図、図２は組立完了斜視図、図３は図２のＡ−Ａ線に沿う断面図、図４は使用状態の断面図である。この薬剤揮散袋１１は、図１〜図３に示すように、軟質の内側袋体１２と、その内側袋体１２を収容する軟質の外側袋体１３とを備えた二重構造となっている。なお、図３および図４では、内側袋体１２および外側袋体１３の厚みや内部空間を誇張して示している。
【００１６】
平面視矩形状の内側袋体１２は、透明なガス非透過性フィルム１４で袋状に形成され、内部に揮発性薬剤を含有する粘性組成物１５が封入されている。この内側袋体１２の素材であるガス非透過性フィルム１４としては、例えば、ポリエステル、ポリアミド、エチレン‐酢酸ビニル共重合体ケン化物、変性ポリビニルアルコール、ポリ塩化ビニリデン等の熱可塑性合成樹脂又はアルミニウム等の金属箔の１つ以上を含む多層積層材料がある。
【００１７】
揮発性薬剤としては、揮発性香料を含む薬剤として、例えば、パラフィン系炭化水素、グリコールエーテル類、グリコール類、アルコール類、エステル類、ケトン類、ラクトン類、アルデヒド類等の溶媒や芳香成分、Ｎ，Ｎ−ジエチルトルアミド（ディート）、ジメチルフタレート、ジブチルフタレート、２−エチル−ヘキサンジオール、ジブチルサクシネート、ｐ−メンタン−３，８−ジオール、アリルイソチオシアネート等の害虫忌避成分が使用可能である。
【００１８】
粘性組成物１５は、粘度が３０〜１００ｍＰａ・ｓであれば、液状、ゲル状、ゾル状、またはこれらの混合物であってもよい。粘性組成物１５を着色しておけば、内側袋体１２が透明フィルム１４で形成されていることから、外部から粘性組成物１５の状態を目視確認することが容易となる。粘性組成物１５は増粘剤によって粘性を持たせる。増粘剤としては、グリセリン、糖脂肪酸エステル、蝋、増粘多糖類、カラギーナン、鉱物、金属石鹸、長鎖脂肪酸、長鎖脂肪酸の多価金属塩、アミノ酸誘導体、糖の誘導体等が例示される。
【００１９】
内側袋体１２は、一枚のガス非透過性フィルム１４を二つ折りし、その開口する三つの辺部１６をヒートシールで熱融着することにより袋状としている。この三つの辺部１６は、外力による内圧上昇で破袋可能な強度でシールされている。なお、破袋可能にシールする辺部１６の数および箇所は任意である。
【００２０】
この内側袋体１２では、一枚のガス非透過性フィルム１４を二つ折りにして三つの辺部１６を破袋可能にシールしているが、二枚のガス非透過性フィルム１４を重ね合わせることにより袋状とすることも可能である。その場合、破袋可能にシールする辺部１６の数および箇所も任意である。
【００２１】
平面視矩形状の外側袋体１３は、一面を構成する一枚の微多孔質シート１７と、これに対向する他面を構成する一枚の透明シート１８とを重ね合わせ、その開口する四つの辺部１９をヒートシールで熱融着することにより袋状としている。
【００２２】
微多孔質シート１７は、外側袋体１３の一面の全体を構成する以外に、一面の一部分を構成するようにしてもよい。外側袋体１３の四つの辺部１９は、内側袋体１２の場合と異なり、外力による内圧上昇で破袋しないようにシールされている。この外側袋体１３の他面側を透明シート１８で構成することにより、この他面側から内側袋体１２および粘性組成物１５を目視確認することが容易となる。
【００２３】
なお、この実施形態では、外側袋体１３の他面を透明シート１８で構成した場合について説明するが、この外側袋体１３の他面を構成するシートは必ずしも透明である必要はなく、非透明や半透明であってもよいし、微多孔質シートであっても構わない。
【００２４】
外側袋体１３の一面を構成する微多孔質シート１７は、粘性組成物１５が浸潤可能な多数の微孔を有する。つまり、揮発性薬剤のガスを透過させるガス透過性フィルムと異なり、粘性組成物１５が浸潤してシート表面に滲み出る程度に多数の微孔が物理的に形成されている。
【００２５】
この微多孔質シート１７に用いられる樹脂としては、例えば、高密度ポリエチレン、中密度ポリエチレン、低密度ポリエチレン、直鎖状低密度ポリエチレン、超高分子量ポリエチレン等の各種ポリエチレンや、エチレン‐酢酸ビニル共重合体およびそのケン化物、エチレン‐アクリル系共重合体、エチレン‐プロピレン共重合体、種々のオレフィン系樹脂およびその共重合体、ジエン系樹脂およびその共重合体、ポリエチレンテレフタレート、ポリブチレンテレフタレート、ポリカーボネート、ポリスチレン、ポリ塩化ビニル、ポリ塩化ビニリデン、ポリカーボネート、ポリウレタン、各種アクリル系樹脂、ポリビニルアルコール、ポリイミド、フッ素樹脂、シリコン樹脂、エポキシ樹脂、セロハン等の半合成樹脂などが挙げられる。微多孔質シート１７としては、特に、これらの樹脂に無機物質を配合して製造されるシートが好ましく用いられ、例えば、オレフィン系樹脂にシリカを配合して製造される多孔質シート１７としては、Ｔｅｓｌｉｎ  ＳＰ６００、Ｔｅｓｌｉｎ  ＳＰ７００、Ｔｅｓｌｉｎ  ＳＰ８００、Ｔｅｓｌｉｎ  ＳＰ１０００（ＰＰＧ  Ｉｎｄｕｓｔｒｉｅｓ，Ｉｎｃ．製）等が市販されている。
【００２６】
この微多孔質シート１７に用いられる樹脂は、単体で用いてもよく、共重合体、ブレンド物などとして用いてもよい。さらに、前述の樹脂を複数用いて多層にした多層シートとしてもよい。多層シートとするためには、ドライラミネーションや共押出し、押出ラミネーションなどの公知の手段によって行われる。シートに成型するにあたり種々の添加物を混練したり、成型後に延伸や熱処理などを行ってもまったく差し支えない。成型後にコーティング、蒸着などを行ってもよい。シートが２層以上になっている場合に、そのうち１層が金属箔もしくは金属蒸着膜、もしくは無機蒸着膜層であってもよい。
【００２７】
外側袋体１３の他面を構成する透明シート１８は、粘性組成物１５が浸潤不能なシートである。つまり、前述の微多孔質シート１７とは異なり、粘性組成物１５が浸潤しない。この透明シート１８は、分子レベルで揮発性薬剤のガスを透過させるガス透過性フィルムと、揮発性薬剤のガスを遮断するガス非透過性フィルムのいずれであってもよい。
【００２８】
このガス非透過性フィルムとしては、前述の内側袋体１２で使用した素材から選択され得るものを使用すればよい。また、ガス透過性フィルムとしては、例えば、ポリエチレン、ポリプロピレン、エチレン‐酢酸ビニル共重合樹脂、アイオノマー樹脂、エチレン‐アクリル酸共重合樹脂、エチレン‐αオレフィン共重合樹脂等の熱可塑性樹脂の１つ以上を含む多層積層材料がある。
【００２９】
以上で説明した構成からなる薬剤揮散袋１１では、図４に示すように、外力（図中白抜き矢印参照）の作用により内側袋体１２の内圧が上昇し、シールされた三つの辺部１６が開封して内側袋体１２が破袋すると、その内側袋体１２に封入されていた粘性組成物１５が外側袋体１３内に流出する。この外側袋体１３は、その一面（図中上面）が、粘性組成物１５が浸潤可能な多数の微孔を有する微多孔質シート１７で構成されており、当該微多孔質シート１７の少なくとも一部に、後述の受け部３７を当接させることで、微多孔質シート１７への押圧力及び微多孔質シート１７と受け部３７との接触部分における毛細管現象により、外側袋体１３内に流出した粘性組成物１５が３０〜１００ｍＰａ・ｓという粘度を有していても、微多孔質シート１７の微孔から浸潤してシート表面に少しずつ滲み出させることにより、揮発性薬剤を外部へ揮散する（図中破線矢印参照）。
【００３０】
外側袋体１３の一面を構成する微多孔質シート１７は、揮発性薬剤が浸潤してシート表面に滲み出る程度に多数の微孔が物理的に形成されたものであることから、ガス透過性フィルムと異なり、化学的性質が多種に亘る揮発性薬剤との組み合わせを選定する必要がなく、使用可能な揮発性薬剤が多種に亘り、揮発性薬剤を外側袋体１３から容易に揮散させることができる。このように、外側袋体１３の一面を構成する微多孔質シート１７に対して、使用可能な揮発性薬剤が制約されることがないので、揮発性薬剤を使用する上で選択の自由度を向上させることができる。
【００３１】
微多孔質シート１７は、粘性組成物１５が多数の微孔でもって浸潤してシート表面に滲み出ることから、ガス透過性フィルムと比較しても揮発性薬剤の揮散量も多くなり、揮発性薬剤を外側袋体１３から良好に揮散させることができる。そのため、外側袋体１３の両面を微多孔質シート１７で構成する必要はなく、外側袋体１３の一面のみを微多孔質シート１７で構成すればよい。その結果、外側袋体１３の他面は、ガス透過性フィルムあるいはガス非透過性フィルム等のように、揮発性薬剤が浸潤不能なシートで構成すればよい。
【００３２】
前述したように、粘性組成物１５は、揮発性薬剤に増粘剤を加えることによって粘性を持たせる。この粘性組成物１５の粘度は、３０〜１００ｍＰａ．ｓであり、４０〜６５ｍＰａ．ｓが特に好ましい（粘度は、振動式粘度計（ＶＭ-３００-Ｌ  セコニック社製）、測定温度２５℃で測定するものである。）。このように、粘性組成物１５の粘度を３０〜１００ｍＰａ．ｓの範囲に規定し、微多孔質シート１７の少なくとも一部に、後述の受け部３７を当接させることで、粘性組成物１５による微多孔質シート１７の根詰まりを起こしにくく、揮発性薬剤を効率よく揮散させることができる。粘性組成物１５の粘度が３０ｍＰａ．ｓよりも低いと、受け部３７との当接により揮発性薬剤が浸潤しすぎるため、効果を長時間発揮させることが困難となる。逆に、粘性組成物１５の粘度が１００ｍＰａ．ｓよりも高くなると、受け部３７と当接していても根詰まりを起こし易くなる。
【００３３】
ここで、本出願人は、香料８０重量％及びアリルイソチオシアネート２０重量％を含有する揮発性薬剤に増粘剤としてゼラチンを加えることにより調製した粘性組成物１５について、キイロショウジョウバエの忌避効果の持続試験を行った。具体的には、揮発性薬剤にゼラチンを加えることにより粘度を１０，１２０ｍＰａ．ｓとした比較品Ｈ，Ｉと、粘度を３０，４０，５０，６５，８０，９０，１００ｍＰａ．ｓとした実施品Ａ〜Ｇを調製した。ポリエチレン製の内側袋体１２に、比較品、実施品を３ｇ収容し、当該内側袋体１２（縦５０ｍｍ×横５０ｍｍ）を外側袋体１３（縦６５ｍｍ×横６５ｍｍ）に入れた。当該外側袋体１３は、その一面が微多孔質シート１７（Ｔｅｓｌｉｎ  ＳＰ６００（厚さ１５２μｍ）、Ｔｅｓｌｉｎ  ＳＰ７００（厚さ１７８μｍ）、Ｔｅｓｌｉｎ  ＳＰ８００（厚さ２０３μｍ）、Ｔｅｓｌｉｎ  ＳＰ１０００（厚さ３５６μｍ））で構成されている。こうして製造した薬剤揮散袋１１を、後述のケース２１（図１１参照）に収納した後、後述するように、内側袋体１２を破袋し（図１６等参照）、薬剤揮散袋１１の微多孔質シート１７を受け部３７に当接させ、粘性組成物１５の温度を２５℃に保持した状態で静置した。なお、各実施品、比較品について、微多孔質シート１７の厚みは表１に示すとおり１種又は２種使用した。
【００３４】
持続試験の結果は、下表に示すとおりである。なお、この試験では、揮発性薬剤による効果を維持する日数に基づいて４段階評価した。その４段階評価として、「ＡＡＡ」は５０日以上、「ＡＡ」は４０日以上５０日未満、「Ａ」は３０日以上４０日未満、「Ｃ」は３０日未満である。
【表１】
0006453128.tif 000002
【００３５】
上表に示すように、粘性組成物１５の粘度が３０ｍＰａ．ｓの時には「ＡＡ」、粘度が４０，５０，６５ｍＰａ．ｓの時には「ＡＡＡ」、粘度が８０ｍＰａ．ｓの時には「ＡＡ」、粘度が９０，１００ｍＰａ．ｓの時には「Ａ」となり、揮発性薬剤による効果が長時間持続することが判明した。これに対して、粘度が１０，１２０ｍＰａ．ｓの時には「Ｃ」となり、揮発性薬剤による効果を長時間有さないことが判明した。
【００３６】
また、粘性組成物１５の粘度が、例えば４０，６０ｍＰａ．ｓとしたものであっても、薬剤揮散袋１１の微多孔質シート１７をケース２１の受け部３７に当接させない状態では、微多孔質シート１７を揮発性薬剤１５に密着させることが困難となり、微多孔質シート１７と粘性組成物１５との間に空気層ができ易く、また、微多孔質シート１７と受け部３７との接触部分において毛細管現象も生じないことから、揮発性薬剤の揮散性能を確保することが困難であることが判明した。
【００３７】
なお、実施品Ａ〜Ｇの揮発性薬剤には、芳香成分と害虫忌避成分の両方が含有されているが、いずれか１種だけ含有されていても、また、それ以外の揮発性薬剤が含有されていても、粘性組成物１５による微多孔質シート１７の根詰まりを起こしにくく、揮発性薬剤による効果を長時間持続することができる。
【００３８】
以上で説明した薬剤揮散袋１１をごみ箱の芳香や害虫忌避のために使用する場合、その薬剤揮散袋１１をプラスチック等の樹脂製ケース２１に収納した薬剤揮散器として使用する。
【００３９】
図５〜図１０はケース２１を例示し、図５は二つのケース半体２３，２４を衝合させた二分割構造のケース２１を例示し、（Ａ）は上面図、（Ｂ）は正面図、（Ｃ）は下面図、図６は図５（Ａ）のＢ−Ｂ線に沿う断面図、図７は一方のケース半体２３（以下、上ケースと称す）の下面図、図８は図７のＣ−Ｃ線に沿う断面図、図９は他方のケース半体２４（以下、下ケースと称す）の上面図、図１０は図９のＤ−Ｄ線に沿う断面図である。
【００４０】
このケース２１は、図５（Ａ）〜（Ｃ）および図６に示すように、二つの円形皿状の上下ケース２３，２４を衝合させた二分割構造をなしている。このケース２１は、使用済みの薬剤揮散袋１１が交換可能なように、図７および図８に示す上ケース２３と、図９および図１０に示す下ケース２４のそれぞれの外周部位に以下のような構造を設けている。
【００４１】
上ケース２３のピン２５を下ケース２４の凹孔２６に挿入する構造でもって上下ケース２３，２４が位置合わせ可能となっており、また、上ケース２３の爪２７と下ケース２４の爪２８を引っ掛け係止する構造により上下ケース２３，２４がワンタッチ式で分離可能な嵌合構造となっている。このケース２１では、爪２７，２８同士の引っ掛け係止構造により分離可能な嵌合構造としているが、ヒンジ構造により開閉可能とすることにより、使用済みの薬剤揮散袋１１を交換可能とするようにしてもよい。
【００４２】
上ケース２３には、その中央部位に、薬剤揮散袋１１の内側袋体１２に外側袋体１３を介して外力を付与する円形の押圧部２９が設けられている。この押圧部２９は、可撓性を有する連結部３０を介して上ケース２３に片持ち支持された状態で一体的に形成され、上ケース２３の開口部３１に配置されて押し込み可能となっている。
【００４３】
この押圧部２９の円周方向周囲には、揮発性薬剤を放出させる開口部である複数の揮散孔３２が配設されている。また、この上ケース２３には、上下ケース２３，２４の衝合時に、下ケース２４に位置決め載置された薬剤揮散袋１１の外側袋体１３の四隅部３３（図９参照）を下ケース２４の内側へ押し込む四つの押し込みリブ３４が、外側袋体１３の四隅部３３と対応する部位に一体的に形成されている。
【００４４】
下ケース２４には、薬剤揮散袋１１の外側袋体１３が載置される四つの支持リブ３５が一体的に立設されている。また、外側袋体１３の各辺部１９に当接することにより外側袋体１３を位置規制する四つの位置規制リブ３６が一体的に立設されている。この位置規制リブ３６の先端部は鉤状をなし、その鉤状先端部で外側袋体１３を押さえ込むことで外側袋体１３の浮きを防止して位置規制の安定化を図っている。
【００４５】
この下ケース２４の中央部位には、押圧部２９により外力が付与された薬剤揮散袋１１の内側袋体１２を外側袋体１３を介して支持する受け部３７が一体的に設けられている。この受け部３７は、押し込み動作させた押圧部２９と薬剤揮散袋１１を介して正対するように傾斜した支持面３８を有する。受け部３７は、内側円形リブ３９と外側円形リブ４０の二重構造をなし、その支持面３８は、内側円形リブ３９およびその内側に位置する十字形リブ４１と外側円形リブ４０の上端部で構成されている。前述の上ケース２３は開口部３１および揮散孔３２を有するのに対して、下ケース２４は開口部３１および揮散孔３２を有さずに閉塞部を構成している。
【００４６】
なお、下ケース２４の外側中央部位には、薬剤揮散器２２をごみ箱の蓋の内側に取り付けるための粘着テープ４２が設けられている。この下ケース２４には、揮散孔３２が設けられていない。この下ケース２４には、薬剤揮散器２２をごみ箱の蓋の内側に取り付けるための粘着テープ４２が取り付けられているため、下ケース２４に揮散孔３２がないことにより、使用時に薬剤揮散袋１１から揮散する揮発性薬剤でもって、下ケース２４に近接配置された粘着テープ４２の粘着力を低下させたり、ごみ箱の蓋の素材を傷めることを防止できるようにしている。
【００４７】
以上で説明したケース２１に前述の薬剤揮散袋１１を装填する要領を、図１１〜図１３を参照しながら以下に詳述する。図１１〜図１３は前述のケース２１に薬剤揮散袋１１を組み付けた薬剤揮散器２２を例示し、図１１および図１２は組立分解斜視図、図１３は組立完了斜視図である。
【００４８】
下ケース２４の支持リブ３５上に矩形状の薬剤揮散袋１１をその外側袋体１３の微多孔質シート１７が下ケース２４側に向くように載置すると共に、その薬剤揮散袋１１の各辺部１９を位置規制リブ３６に側方から当接させることにより、薬剤揮散袋１１を位置決めする。この薬剤揮散袋１１が位置決め載置された下ケース２４に、上ケース２３を上ケース２３のピン２５および下ケース２４の凹孔２６からなる構造でもって位置合わせすると共に上ケース２３の爪２７と下ケース２４の爪２８との引っ掛け係止構造でもって嵌合させる。このようにして、薬剤揮散袋１１のケース２１への組み付けを完了する。
【００４９】
この上下ケース２３，２４の衝合時、下ケース２４に位置決め載置された薬剤揮散袋１１の外側袋体１３の四隅部３３は、上下ケース２３，２４の外周部上あるいはその近傍に位置するため（図９参照）、上下ケース２３，２４の外周部間で噛み込んだり、その外周部から食み出したりする可能性がある。
【００５０】
そこで、上ケース２３に設けられた押し込みリブ３４により、上下ケース２３，２４の衝合時に薬剤揮散袋１１の外側袋体１３の四隅部３３を下ケース２４の内側へ押し込むようにしている。これにより、薬剤揮散袋１１の外側袋体１３の四隅部３３が上下ケース２３，２４の外周部間に噛み込んだり、その外周部から食み出したりすることを未然に防止し、この噛み込みや食み出しにより外側袋体１３が破れて、粘性組成物１５が外部へ漏洩することを回避している。
【００５１】
以上で説明した薬剤揮散器２２をごみ箱の芳香や害虫忌避などのために使用する場合、図１４および図１５に示すように、下ケース２４に設けられた粘着テープ４２を利用し、薬剤揮散器２２をごみ箱４３の蓋４４の内側に貼着する。つまり、薬剤揮散器２２は、上ケース２３が下向きで下ケース２４が上向きとなる上下逆さ状態で取り付けられる。
【００５２】
この取り付け状態では、薬剤揮散容器２２が略水平状態に保持され、薬剤揮散容器２２内に収納された薬剤揮散袋１１は、微多孔質シート１７を上側に向けた状態で保持される。一方、この薬剤揮散容器２２をごみ箱４３の蓋４４に取り付ける前あるいは取り付けた後に、次の操作により薬剤揮散袋１１の内側袋体１２を破袋する。
【００５３】
まず、薬剤揮散容器２２の上ケース２３に設けられた押圧部２９を容器内部へ押し込むことにより、薬剤揮散袋１１の外側袋体１３を介して内側袋体１２に外力を付与する。この外力の付与により内側袋体１２の内圧が上昇し、その内圧上昇でもって内側袋体１２が破袋する。この内側袋体１２の破袋は、三つの辺部１６が外力による内圧上昇で破袋可能な強度でシールされていることから、この三つの辺部１６の一部または全部が開口することにより行われる。
【００５４】
この押圧部２９による外力の付与時、図１６に示すように、上ケース２３に連結部３０を介して設けられた押圧部２９は、その連結部３０が可撓性を有することから、連結部３０の撓みにより容器内部へ押し込まれる。この押圧部２９の押し込み動作により、薬剤揮散袋１１が下ケース２４の受け部３７と押圧部２９との間に挟み込まれる。
【００５５】
この押し込み動作により傾斜する押圧部２９に対して、内側円形リブ３９および十字形リブ４１と外側円形リブ４０からなる受け部３７の支持面３８が薬剤揮散袋１１を介して正対するように傾斜していることから、押圧部２９の押圧面４５と受け部３７の支持面３８が平行となるので、押圧部２９の全面で薬剤揮散袋１１に接触する。
【００５６】
このように、押圧部２９と薬剤揮散袋１１との接触面積を最大限に確保することができるので、押圧部２９により十分な外力を付与することができ、薬剤揮散袋１１の内側袋体１２を確実に破袋させることができる。また、上ケース２３の押圧部２９と下ケース２４の受け部３７とからなり、薬剤揮散袋１１の外部に位置するケース２１に設けられた簡単な構造でもって、内側袋体１２を破袋させることができる。
【００５７】
この内側袋体１２の破袋により、図１７に示すように、内側袋体１２に封入されていた粘性組成物１５が外側袋体１３内に流出する。この外側袋体１３は、上側に向く一面を粘性組成物１５が浸潤可能な多数の微孔を有する微多孔質シート１７で構成し、その微多孔質シートの一部に受け部３７が当接していることから、微多孔質シート１７への押圧力及び微多孔質シート１７と受け部３７との接触部分における毛細管現象により、粘性組成物１５が３０〜１００ｍＰａ・ｓという粘度を有していても、微多孔質シート１７の微孔から浸潤してシート表面に少しずつ滲み出ることができ、これにより揮発性薬剤が外部へ揮散する。
【００５８】
外側袋体１３の外部へ揮散した揮発性薬剤は、薬剤揮散容器２２の上ケース２３に設けられた揮散孔３２および開口部３１を介してケース外部へ放出させる。このようにして、ケース外部へ揮散した揮発性薬剤をごみ箱４３の内部に充満させることにより、薬剤揮散容器２２がごみ箱４３の芳香や害虫忌避として機能する。
【００５９】
なお、薬剤揮散袋１１の内側袋体１２に封入された粘性組成物１５を着色しておけば、外側袋体１３の上ケース２３側に向く面が透明シート１８で構成されていることから、外側袋体１３に流出した粘性組成物１５を上ケース２３の揮散孔３２および開口部３１から目視することができるので、粘性組成物１５の残量を確認することが容易となる。
【００６０】
その結果、薬剤揮散器２２が使い捨ての場合、その薬剤揮散器２２の廃棄時期を迅速かつ容易に認知することができる。また、薬剤揮散器２２が詰め替え可能な場合、薬剤揮散袋１１の交換時期を迅速かつ容易に認知することができる。
【００６１】
また、薬剤揮散袋１１は軟質の内側袋体１２および外側袋体１３で構成されていることから、揮発性薬剤の揮散によりその粘性組成物１５が減少しても、揮発性薬剤の減少に伴う内部減圧でもって外側袋体１３の微多孔質シート１７が粘性組成物１５に密着している。さらに、微多孔質シート１７が、下ケース２４に凸設された受け部３７に当接しているため、微多孔質シート１７を粘性組成物１５に密着させることが容易となり、微多孔質シート１７と粘性組成物１５との間に空気層ができ難く、微多孔質シート１７と受け部３７との接触部分において毛細管現象も生じることで、粘性組成物１５は、微多孔質シート１７の表面に滲み出やすい。
【００６２】
このように、微多孔質シート１７と粘性組成物１５との間に空気層ができずに微多孔質シート１７と粘性組成物１５とが常に接触し、かつ微多孔質シート１７と受け部３７との接触部分において毛細管現象も生じていることから、粘性組成物１５が少なくなっても、微多孔質シート１７に浸潤してシート表面に滲み出るので、粘性組成物１５が薬剤揮散袋１１に残存することを回避できる。
【００６３】
なお、微多孔質シート１７と受け部３７との接触は、微多孔質シート１７の全体である必要がなく、微多孔質シート１７の一部であっても、その接触部分に生じる毛細管現象により、揮発性薬剤は、微多孔質シート１７の表面に滲み出ることになり、効率よく外部へ揮散する。
【００６４】
また、外側袋体１３の微多孔質シート１７を下ケース２４の受け部３７に当接させたことにより、揮発性薬剤が揮散する微多孔質シート１７が、上ケース２３の揮散孔３２および開口部３１と反対側に配置されることになる。その結果、閉塞部である下ケース２４内での揮発性薬剤の揮散濃度を高めることができる（飽和蒸気圧に近づけることができる）ので、微多孔質シート１７表面における揮発性薬剤の揮散を遅らせることができ、効果をより長期間発揮させることができる。また、揮発性薬剤がアリルイソチオシアネートのように特に揮発性の高い薬剤が含有される場合、揮散孔３２の開口面積を減らすことにより、下ケース２４内の蒸気圧がより高まりやすくなり、効果をさらに長期間発揮させることができる。
【００６５】
以上で説明した薬剤揮散器２２の使用形態では、ごみ箱４３の芳香や害虫忌避のためにごみ箱４３の蓋４４の内側に薬剤揮散袋１１を水平状態で保持した状態、いわゆる横置き状態にしている。このように、薬剤揮散袋１１を横置き状態でケース２１内に配置する薬剤揮散器２２の使用形態では、前述したように、微多孔質シート１７で構成された外側袋体１３の一面を上側に向けて薬剤揮散袋１１を配置することにより、微多孔質シート１７の多数の微孔により浸潤してシート表面に滲み出た粘性組成物１５又は揮散した揮発性薬剤が液滴となってケース内部あるいはケース外部へ落下することを抑制できる。
【００６６】
なお、以上の実施形態では、薬剤揮散袋１１を横置き状態でケース２１内に配置する薬剤揮散器２２の使用形態について説明したが、本発明はこれに限定されることなく、薬剤揮散袋１１を縦置き状態でケース内に配置する薬剤揮散器の使用形態であってもよい。この場合、微多孔質シート１７の多数の微孔により浸潤してシート表面に滲み出た粘性組成物１５又は揮散した揮発性薬剤が液滴となっても、その液滴をケースで受けることにより、ケース外部へ落下することを抑制できる。
【００６７】
また、以上の実施形態では、薬剤揮散袋１１は、内側袋体１２と外側袋体１３とからなる二重構造となっている。この二重構造の薬剤揮散袋１１では、内側袋体１２の破袋により粘性組成物１５が内側袋体１２から外側袋体１３へ流出した後には、内側袋体１２が密着することによりシート状となる（図４および図１７参照）。このようにシート状となった内側袋体１２は、外側袋体１３の内部空間を２つの分割空間ｍ，ｎに区画する仕切りシートとして機能する。
【００６８】
つまり、仕切りシートとして機能する内側袋体１２は、その外周で２つの分割空間ｍ，ｎを連通させている。これにより、微多孔質シート１７と接していない下方位置の分割空間ｍに充填された粘性組成物１５は、毛細管現象により内側袋体１２（仕切りシート）の外周を迂回して微多孔質シート１７と接する上方位置の分割空間ｎへ移動し、微多孔質シート１７の微孔から浸潤してシート表面に滲み出ることで、揮発性薬剤を揮散する。そのため、揮発性薬剤による効果をさらに長時間維持することができる。
【００６９】
なお、以上の実施形態では、二重構造の薬剤揮散袋１１において、内側袋体１２を仕切りシートして機能させる場合について説明したが、本発明はこれに限定されることなく、一重構造の薬剤揮散袋、つまり、前述の実施形態における外側袋体１３に粘性組成物１５を封入し、その外側袋体１３の内部空間を２つの分割空間ｍ，ｎに区画する１枚の仕切りシートを内蔵させる構造であってもよい。
【００７０】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００７１】
１１  薬剤揮散袋
１２  内側袋体（仕切りシート）
１５  粘性組成物
１７  微多孔質シート
２１  ケース
２４  閉塞部（下ケース）
３１  開口部
３２  開口部（揮散孔）
３７  受け部
ｍ、ｎ  分割空間
【図１】
0006453128.tif 000003
【図２】
0006453128.tif 000004
【図３】
0006453128.tif 000005
【図４】
0006453128.tif 000006
【図５】
0006453128.tif 000007
【図６】
0006453128.tif 000008
【図７】
0006453128.tif 000009
【図８】
0006453128.tif 000010
【図９】
0006453128.tif 000011
【図１０】
0006453128.tif 000012
【図１１】
0006453128.tif 000013
【図１２】
0006453128.tif 000014
【図１３】
0006453128.tif 000015
【図１４】
0006453128.tif 000016
【図１５】
0006453128.tif 000017
【図１６】
0006453128.tif 000018
【図１７】
0006453128.tif 000019